(57)【要約】【課題】モータ等を必要とすることなく遊技球を振り分けることができる振分手段を備えた遊技機を提供する。【解決手段】振分部材３３が第１傾倒姿勢若しくは第２傾倒姿勢をとる際、錘部材４３は自重により下方位置に位置して、振分部材３３を第１傾倒姿勢若しくは第２傾倒姿勢で維持する一方、振分部材３３が第１傾倒姿勢と第２傾倒姿勢との間で姿勢をかえる際、作用突起６５は、錘部材４３を押し上げながら円弧面７０上を移動した後、その移動軌跡において最上点を通過すると、自重により下方位置へと復帰しようとする錘部材４３に押されながら円弧面７０上を移動するようにした。【選択図】図６
2015223352.tif 000002
【特許請求の範囲】
【請求項１】
遊技球が進入可能な進入口と、前記進入口よりも下方に設けられ、前記進入口を介して進入してきた遊技球を検知する第１検知手段及び第２検知手段と、前記進入口と前記第１検知手段や前記第２検知手段とをつなぐように左右へ二股に形成された流路と、前記流路の二股部に前後方向を軸として回動可能に設置され、前記進入口を介して遊技球が進入してくる度に、前記第１検知手段へつながる前記流路側へ傾倒し、遊技球を前記第１検知手段へ導く第１傾倒姿勢と、前記第２検知手段へつながる前記流路側へ傾倒し、遊技球を前記第２検知手段へ導く第２傾倒姿勢とで交互に姿勢をかえながら遊技球を振り分ける遊技球振分手段とを備えた振分手段を備えた遊技機であって、
前記遊技球振分手段の前記軸よりも上方となる位置に、前方若しくは後方へ突出する作用突起を設ける一方、
前記遊技球振分手段よりは重い錘手段を、上下方向へスライド自在に、且つ、下面が前記作用突起に対して上方から当接するように設けており、
前記遊技球振分手段が前記第１傾倒姿勢若しくは前記第２傾倒姿勢をとる際、前記錘手段は自重により下方位置に位置して、前記遊技球振分手段を前記第１傾倒姿勢若しくは前記第２傾倒姿勢で維持する一方、
前記遊技球振分手段が前記姿勢をかえる際、前記作用突起は、前記錘手段を押し上げながら前記錘手段の前記下面上を移動した後、その移動軌跡において最上点を通過すると、自重により前記下方位置へと復帰しようとする前記錘手段に押されながら前記下面上を移動することを特徴とする遊技機。
【請求項２】
前記作用突起を円柱状に形成する一方、
前記錘手段の下面のうち、少なくとも前記姿勢の変更に伴い前記作用突起が移動する範囲の面を、中央部が左右両端部よりも下方へ膨出する湾曲面として形成したことを特徴とする請求項１に記載の遊技機。
【請求項３】
前記錘手段に錘体を収納可能な収納部を設け、前記収納部へ前記錘体を収納するか否かや前記収納部へ収納する前記錘体の重さの違いにより、前記錘手段の重さを調節可能としたことを特徴とする請求項１又は２に記載の遊技機。
【発明の詳細な説明】
【技術分野】
【０００１】
本発明は、たとえばパチンコ機等といった遊技機に関するものである。
【背景技術】
【０００２】
従来、遊技球の流路を第１流路又は第２流路へ振り分ける振分装置を備えてなるパチンコ機が種々考案されている。そのような振分装置としては、第１流路及び第２流路を有する逆Ｙ字状の分岐流路を備えているとともに、当該分岐流路の分岐点にモータにより回動して第２流路を開閉する振分部材を設置したものがある（たとえば特許文献１）。そして、該振分装置では、振分部材の回動状態により、分岐流路へ進入した遊技球が第１流路又は第２流路へ振り分けられるようになっている。
【先行技術文献】
【特許文献】
【０００３】
【特許文献１】特開２００６−４３２１６号公報
【発明の概要】
【発明が解決しようとする課題】
【０００４】
しかしながら、特許文献１に開示されている振分装置によれば、遊技球を振り分けるために振分部材を回動させるためのモータ等が必要になるため、装置の大型化がさけられず、設置スペースに問題が生じるし、部品点数が増えることによるコスト高となるという問題もある。
【０００５】
そこで、本発明は、上記問題に鑑みなされたものであって、モータ等を必要とすることなく遊技球を振り分けることができる振分手段を備えた遊技機を提供しようとするものである。
【課題を解決するための手段】
【０００６】
上記目的を達成するために、本発明のうち請求項１に記載の発明は、遊技球が進入可能な進入口と、前記進入口よりも下方に設けられ、前記進入口を介して進入してきた遊技球を検知する第１検知手段及び第２検知手段と、前記進入口と前記第１検知手段や前記第２検知手段とをつなぐように左右へ二股に形成された流路と、前記流路の二股部に前後方向を軸として回動可能に設置され、前記進入口を介して遊技球が進入してくる度に、前記第１検知手段へつながる前記流路側へ傾倒し、遊技球を前記第１検知手段へ導く第１傾倒姿勢と、前記第２検知手段へつながる前記流路側へ傾倒し、遊技球を前記第２検知手段へ導く第２傾倒姿勢とで交互に姿勢をかえながら遊技球を振り分ける遊技球振分手段とを備えた振分手段を備えた遊技機であって、前記遊技球振分手段の前記軸よりも上方となる位置に、前方若しくは後方へ突出する作用突起を設ける一方、前記遊技球振分手段よりは重い錘手段を、上下方向へスライド自在に、且つ、下面が前記作用突起に対して上方から当接するように設けており、前記遊技球振分手段が前記第１傾倒姿勢若しくは前記第２傾倒姿勢をとる際、前記錘手段は自重により下方位置に位置して、前記遊技球振分手段を前記第１傾倒姿勢若しくは前記第２傾倒姿勢で維持する一方、前記遊技球振分手段が前記姿勢をかえる際、前記作用突起は、前記錘手段を押し上げながら前記錘手段の前記下面上を移動した後、その移動軌跡において最上点を通過すると、自重により前記下方位置へと復帰しようとする前記錘手段に押されながら前記下面上を移動することを特徴とする。
請求項２に記載の発明は、請求項１に記載の発明において、前記作用突起を円柱状に形成する一方、前記錘手段の下面のうち、少なくとも前記姿勢の変更に伴い前記作用突起が移動する範囲の面を、中央部が左右両端部よりも下方へ膨出する湾曲面として形成したことを特徴とする。
請求項３に記載の発明は、請求項１又は２に記載の発明において、前記錘手段に錘体を収納可能な収納部を設け、前記収納部へ前記錘体を収納するか否かや前記収納部へ収納する前記錘体の重さの違いにより、前記錘手段の重さを調節可能としたことを特徴とする。
【発明の効果】
【０００７】
本発明によれば、遊技球振分手段が第１傾倒姿勢若しくは第２傾倒姿勢をとる際、錘手段が自重により下方位置に位置して、遊技球振分手段を第１傾倒姿勢若しくは第２傾倒姿勢で維持する一方、遊技球振分手段が姿勢をかえる際、作用突起が、錘手段を押し上げながら錘手段の下面上を移動した後、その移動軌跡において最上点を通過すると、自重により下方位置へと復帰しようとする錘手段に押されながら下面上を移動するようにした。したがって、モータ等を要することなく遊技球を振り分けることができ、装置の小型化やそれに伴う設置スペースの省スペース化、低コスト化を図ることができる。
また、請求項２に記載の発明によれば、作用突起を円柱状に形成する一方、錘手段の下面のうち、少なくとも姿勢の変更に伴い作用突起が移動する範囲の面を、中央部が左右両端部よりも下方へ膨出する湾曲面として形成しているため、作用突起と下面との接触領域を減らすことができ、スムーズに作用突起が下面上を移動することになり、ひいては遊技球の振分動作を確実且つスムーズに行うことができる。
さらに、請求項３に記載の発明によれば、錘手段に錘体を収納可能な収納部を設け、収納部へ錘体を収納するか否かや収納部へ収納する錘体の重さの違いにより、錘手段の重さを調節可能としているため、遊技場により使用する遊技球の重さが異なっている等したとしても、錘手段全体を重さの違うものに交換する等することなく対応することができる。
【図面の簡単な説明】
【０００８】
【図１】パチンコ機を前面側から示した説明図である。
【図２】遊技盤を前面側から示した説明図である。
【図３】パチンコ機を後面側から示した説明図である。
【図４】振分装置の外観を前側から示した斜視説明図である。
【図５】分解状態にある振分装置を前側から示した説明図である。
【図６】分岐流路内で振分部材が第１傾倒姿勢にある状態を前側から示した説明図である。
【図７】中ケースの前面側で振分部材が第１傾倒姿勢にある状態を示した説明図である。
【図８】振分部材が第１傾倒姿勢にある場合の中ケースの後面側を示した説明図である。
【図９】中ケースの前面側で振分部材が第１傾倒姿勢と第２傾倒姿勢との間を移動中である状態を前側から示した説明図である。
【図１０】振分部材が第１傾倒姿勢と第２傾倒姿勢との間を移動中である場合の中ケースの後面側を示した説明図である。
【図１１】分岐流路内で振分部材が第２傾倒姿勢にある状態を前側から示した説明図である。
【図１２】中ケースの前面側で振分部材が第２傾倒姿勢にある状態を示した説明図である。
【図１３】振分部材が第２傾倒姿勢にある場合の中ケースの後面側を示した説明図である。
【発明を実施するための形態】
【０００９】
以下、本発明の一実施形態となるパチンコ機について、図面にもとづき詳細に説明する。
【００１０】
（パチンコ機の全体的な説明）
図１は、パチンコ機１を前面側から示した説明図である。また、図２は、遊技盤２を前面側から示した説明図である。さらに、図３は、パチンコ機１を後面側から示した説明図である。
パチンコ機１は、遊技盤２の前面に形成された遊技領域１６内へ遊技球を打ち込み、遊技領域１６内を流下させて遊技するものであって、遊技盤２は、支持体として機能する機枠３の前面上部に、金属製のフレーム部材であるミドル枠５を介して設置されている。また、遊技盤２の前方には、ガラス板を支持してなる前扉４が、左端縁を軸として片開き可能に機枠３に蝶着されており、該前扉４によって閉塞される遊技盤２の前方空間が遊技領域１６とされている。
【００１１】
当該遊技領域１６は、遊技盤２の前面に円弧状に配設された外レール２３及び内レール２４等によって囲まれており、遊技領域１６に左部における両レール２３、２４間が遊技球を遊技領域１６内へ打ち込むための発射通路１３とされている。また、遊技領域１６の略中央には、「０」〜「９」の数字からなる装飾図柄やキャラクター等を表示するための演出用表示部６が設けられている。さらに、演出用表示部６を囲むように電動役物等を備えたセンター部材２６が遊技盤２に設置されており、該センター部材２６の下方には、遊技球が進入可能で、内部に第１検知センサ３６（図５に示す）及び第２検知センサ３８（図５に示す）を備えた振分装置３０が設置されている。また、センター部材２６の左方には、遊技球が流下可能な左打ち用スペースＳＬが形成されており、左打ち用スペースＳＬを流下する遊技球に限り、振分装置３０へ進入し得るようになっている。
【００１２】
一方、センター部材２６の右方にも遊技球が流下可能な右打ち用スペースＳＲが形成されている。また、該右打ち用スペースＳＲには、遊技球が通過可能なゲート部材２０が設けられている。さらに、センター部材２６の右部には、開閉動作可能な翼片を備えた翼片付き電動役物１７が設けられている。該翼片付き電動役物１７は、開状態になると翼片が右打ち用スペースＳＲ内へ突出し、センター部材２６の右部に設けられた開口を開放して、センター部材２６内部に設けられた入賞口への遊技球の入賞を可能とする一方、閉状態になると翼片が開口を閉塞し、遊技球の入賞を不可能とするようになっている。加えて、右打ち用スペースＳＲの下部には、開閉可能な扉部材を有する大入賞装置１８が設置されている。そして、遊技球を左打ち用スペースＳＬではなく右打ち用スペースＳＲを流下させることにより、ゲート部材２０を通過させたり、開状態にある翼片付き電動役物１７へ入賞させたりすることができるとともに、開成した大入賞装置１８へ効率良く入賞させることができる。なお、センター部材２６の左右を問わず、遊技領域１６の略全面には多数の遊技釘（図示せず）が植設されている。また、遊技領域１６外となる遊技盤２の右下部には、特別図柄を表示するための７セグメント表示器からなる第１特別図柄表示部（図示せず）、第２特別図柄表示部（図示せず）、及び第３特別図柄表示部（図示せず）が設けられている。
【００１３】
また、機枠３の前面側であって上記遊技盤２の下方には、発射装置１０へ供給する遊技球を貯留するための供給皿７、及び供給皿７から溢れた遊技球を貯留するための貯留皿８が取り付けられており、供給皿７は前扉４の開放に伴い、貯留皿８はミドル枠５の開放に伴い夫々機枠３に対して片開き可能となっている。さらに、貯留皿８の右側には、発射装置１０を作動させ、遊技球の遊技領域１６への打ち込み強度を調整するためのハンドル９が回動操作可能に設置されている。加えて、供給皿７の前方には、遊技者が任意に押し込み操作可能な押しボタン２５が設けられている。
さらに、前扉４の上部には、効果音や各種メッセージ等を報音する夫々一対のスピーカ１４、１４が設けられている。加えて、前扉４の左右両側部には、パチンコ機１の遊技状態等に応じて点灯・点滅する複数のＬＥＤを内蔵したランプ部材１５、１５・・が設けられている。
【００１４】
一方、機枠３の後面側には、供給皿７へ貸球や賞品球として払い出される遊技球を貯留するための貯留タンク１１、当該貯留タンク１１と連結された払出装置１２、払出装置１２における払い出し動作を制御する払出制御装置２８、及び各制御基板や装置・部材に電源電圧を供給するための電源装置２９等が設置されている。また、２１は、合成樹脂製のカバー状に形成されたセンターカバーであって、当該センターカバー２１の内部には、遊技に係る主たる制御（たとえば、所謂大当たり抽選等）を実行するためのメイン制御装置（図示せず）、演出用表示部６における表示動作等を制御する表示制御装置（図示せず）、ランプ部材１５の点灯／点滅動作等を制御する発光制御装置（図示せず）、スピーカ１４からの報音動作を制御する音制御装置（図示せず）、及び表示制御装置や音制御装置等の動作を統合的に制御するサブ制御装置（図示せず）等が設置されている。尚、２２は、パチンコ機１をトランスに接続するためのプラグであり、２７は、アースである。
【００１５】
以上のようなパチンコ機１では、遊技者はハンドル９を回動操作して発射装置１０を作動させ、発射通路１３を介して遊技球を遊技領域１６内へ打ち込み、まずは左打ち用スペースＳＬを流下させて振分装置３０への遊技球の進入を狙う。振分装置３０へ進入した遊技球は、後述の如くして第１検知センサ３６と第２検知センサ３８との何れか一方の検知センサで検知されることになる。そして、第１検知センサ３６や第２検知センサ３８での遊技球の検知に起因して所謂大当たり抽選を実行し、当該大当たり抽選の結果が「大当たり」になると、特別図柄表示部及び演出用表示部６に夫々所定の「大当たり図柄」が確定表示される（たとえば、演出用表示部６に「７、７、７」と確定表示させる）。また、「大当たり図柄」が確定表示されると、大入賞装置１８を所定回数にわたって断続的に開成させるといった所謂「大当たり状態」が生起する。そこで、遊技者は、右打ち用スペースＳＲを流下させる「右打ち」を行い、断続的に開成する大入賞装置１８への遊技球の入賞を狙う。
なお、第１検知センサ３６における遊技球の検知に伴う特別図柄の変動／確定表示は、第１特別図柄表示部において行われる。一方、第２検知センサ３８における遊技球の検知に伴う特別図柄の変動／確定表示は、第２特別図柄表示部において行われる。また、所謂保留数は、各検知センサ３６、３８毎に４個ずつとなっており、最大で合計８個まで保留可能となっている。
【００１６】
また、大当たり状態終了後、第１〜第３特別図柄表示部での合計の図柄の確定表示回数が所定回数に達するまで、翼片付き電動役物１７が頻繁に開状態となる所謂時短状態が生起する。そこで、遊技者は、当該時短状態が終了するまで「右打ち」を継続して、ゲート部材２０への遊技球の通過、及び翼片付き電動役物１７への遊技球の入賞を狙う。そして、第１〜第３特別図柄表示部での合計の図柄の確定表示回数が所定回数に達して時短状態が終了すると、「右打ち」を止めて左打ち用スペースＳＬを流下させる上記遊技へと戻る。
なお、翼片付き電動役物１７は、遊技球のゲート部材２０への通過検知をもって実行される抽選結果に応じて開状態となる。また、翼片付き電動役物１７における遊技球の検知に伴う特別図柄の変動／確定表示は、第３特別図柄表示部において行われる。
【００１７】
（振分装置の説明）
【００１８】
ここでまず、本発明の要部となる振分装置３０の構造について、図４〜図６にもとづき詳細に説明する。
図４は、振分装置３０の外観を前側から示した斜視説明図である。図５は、分解状態にある振分装置３０を前側から示した説明図である。図６は、分岐流路４８内で振分部材３３が第１傾倒姿勢にある状態を前側から示した説明図である。
【００１９】
振分装置３０は、進入口３１を介して本体ケース３２内へ進入した遊技球を、振分部材３３によって左側の第１流路３４と右側の第２流路３５との何れかへ振り分け、第１流路３４へ振り分けた場合には第１検知センサ３６を通過させた後に第１排出口３７から、第２流路３５へ振り分けた場合には第２検知センサ３８を通過させた後に第２排出口３９から、夫々本体ケース３２外へと排出させるためのものである。そして、そのような振分装置３０は、前ケース４０、中ケース４１、及び後ケース４２からなる本体ケース３２と、前後方向を軸として左右方向へ回動可能に組み付けられる振分部材３３と、上下方向へスライド可能に組み付けられる錘部材４３と、遊技球の通過を検知可能な第１検知センサ３６及び第２検知センサ３８と、第１検知センサ３６及び第２検知センサ３８が接続される電子基板８０とを有している。なお、第１検知センサ３６及び第２検知センサ３８は、遊技球が通過可能な通過孔を有するものであって、従来よりゲート部材２０等において一般的に使用されているものと同じである。
【００２０】
前ケース４０は、後面に開口する箱状体であって、上面には遊技球を本体ケース３２内へ進入させるための進入口３１が開設されている。また、前ケース４０の後面で、進入口３１の下方となる位置には、振分部材３３の回動軸４４の前端部を軸支するための軸受け（図示せず）が設けられている。さらに、前ケース４０の後面における左右両下部には、第１検知センサ３６や第２検知センサ３８の前端部を保持するための前保持部４５、４５が設けられている。さらにまた、各前保持部４５の下方は開口しており、第１排出口３７や第２排出口３９となっている。加えて、前ケース４０の後面には、進入口３１から左右斜め下方へ延設された流路リブ４６、４６や、軸受けの下方で左右方向へ延設される分岐リブ４７等が設けられており、振分部材３３よりも下流側で流路リブ４６や分岐リブ４７等に挟まれたスペースであって、振分部材３３の設置位置から第１排出口３７へ至るスペースが第１流路３４となり、振分部材３３の設置位置から第２排出口３９へ至るスペースが第２流路３５となっている。すなわち、前ケース４０の後面に、進入口３１と第１排出口３７及び第２排出口３９とを連通する略逆Ｙ字状の分岐流路４８が設けられている。
【００２１】
中ケース４１は、前ケース４０と後ケース４２との間を前後で仕切るように組み付けられるケース体である。該中ケース４１の前面は、前ケース４０よりも大きな板状に形成されており、前ケース４０を組み付けた際に前ケース４０よりも外方へ鍔状に突出する部位に、振分装置３０を遊技盤２に設置するための設置部５０、５０・・が設けられている。また、中ケース４１の前面上部には、振分部材３３の後部を収容可能な収容凹部５１が設けられているとともに、収容凹部５１内で、前ケース４０を組み付けた際に軸受けと対向する位置には、回動軸４４の後端部を軸支するための軸受け５２が設けられている。さらに、収容凹部５１内の軸受け５２よりも上側には、上方へ膨出する円弧状の貫通孔５３が設けられており、振分部材３３を収容凹部５１内へ取り付けた際に、振分部材３３の作用突起６５を中ケース４１の後方へ突出可能としている。さらにまた、中ケース４１の前面下部で、前ケース４０を組み付けた際に前保持部４５、４５と対向する位置には、前保持部４５に保持されている第１検知センサ３６や第２検知センサ３８を、前保持部４５ごと挿通させた状態で保持する保持孔５４、５４が設けられている。加えて、中ケース４１の後面で、貫通孔５３よりも上側となる位置には、錘部材４３を吊設するための吊設軸７５の前端部を固定するための前固定部（図示せず）が設けられている。さらに、中ケース４１の後面には、電子基板８０の固定スペースを囲むべく後方へ突設されたリブ５５、後ケース４２をネジ止めするためのネジ止め部５６、５６・・等も設けられている。
【００２２】
後ケース４２は、前面に開口する箱状に形成されており、中ケース４１の後面に設けられたリブ５５により囲まれるスペースを後側から覆うように組み付けられる。該後ケース４２の上部前面側には、錘部材４３を左右から挟み込むように収容可能で、錘部材４３の上下方向へのスライドを案内する一対の案内リブ５７、５７が上下方向に延設されている。また、案内リブ５７、５７間となる位置で、中ケース４１へ組み付けた際に前固定部と対向する位置には、吊設軸７５の後端部を固定するための後固定部（図示せず）が設けられている。さらに、中ケース４１のネジ止め部５６、５６・・と対応する位置には、ネジ孔５８、５８・・が設けられている。
【００２３】
振分部材３３は、左右対称形状の前面視略三角形に成形された基板６０を有してなり、該基板６０の下部で中心線上となる位置には、回動軸４４を取り付けるために前後方向へ貫通する回動軸孔を備えた回動軸取付部６１が設けられている。また、基板６０の前面には、回動軸孔を中心として１２０°間隔で放射方向へ延びる３つのリブが立設されており、上方へ延びるリブは、先端部が先細り状に形成された塞止リブ６２となる。一方、塞止リブ６２を中央として左側（第１流路３４側）へ延びるリブは、第１誘導リブ６３となり、右側（第２流路３５側）へ延びるリブは、第２誘導リブ６４となる。さらに、基板６０の後面上端部で中心線上となる位置（回動軸孔の上方となる位置）には、後方へ突出する円柱状の作用突起６５が設けられている。なお、基板６０の前後方向での厚みは、収容凹部５１の前後方向での深さと略同じとなっている。また、回動軸取付部６１と作用突起６５との上下方向での距離は、軸受け５２と貫通孔５３との上下方向での距離と同じとなっており、振分部材３３を収容凹部５１内に取り付けると、作用突起６５が、貫通孔５３を介して中ケース４１の後面側へ突出するようになっている。
【００２４】
錘部材４３は、中央部６６と、中央部６６から左右両側へ一体的に突出する左側部６７及び右側部６８とを備え、左右方向での長さが案内リブ５７、５７間と略同一とされたブロック体であって、その重さは振分部材３３よりも重く、且つ、遊技球１個よりも軽くなっている。また、錘部材４３の前面は鉛直面に平行な平坦面として成形されており、中央部６６の上部には、錘部材４３を取り付けるための吊設軸７５が前後方向に貫通するガイド孔６９が穿設されている。このガイド孔６９は上下方向へ長い長孔として形成されており、吊設軸７５を貫通させることにより、錘部材４３は、吊設軸７５がガイド孔６９を相対的にスライドする格好で、吊設軸７５がガイド孔６９の上端に当接する下方位置と、吊設軸７５がガイド孔６９の下端に当接する上方位置との間をスライド可能となっている。さらに、中央部６６の下面は、左右両端部よりも中央が下方へ膨出する円弧面７０として形成されている。一方、左側部６７及び右側部６８の後面には、図示しない錘体を収納可能な収納空間７１が夫々設けられている。さらに、左側部６７及び右側部６８の外側の側面における上端部及び下端部には、案内リブ５７の内面に当接する突条部７２、７２が夫々前後方向に延設されている。
【００２５】
上述したように構成される前ケース４０、中ケース４１、後ケース４２、振分部材３３、及び錘部材４３は、以下のように振分装置３０として組み立てられる。
まず、振分部材３３に回動軸４４を取り付け、中ケース４１の前側から回動軸４４の後端を軸受け５２に差し込んで振分部材３３を中ケース４１の前面側に取り付ける一方、前ケース４０において第１検知センサ３６及び第２検知センサ３８を前保持部４５、４５に保持させた状態として、第１検知センサ３６及び第２検知センサ３８を前保持部４５、４５ごと保持孔５４、５４へ挿通させるとともに、回動軸４４の前端を軸受けに差し込んで、前ケース４０を中ケース４１の前面側に組み付ける。また、吊設軸７５をガイド孔６９に挿通させ、中ケース４１の後側から吊設軸７５の前端を前固定部に差し込んで錘部材４３を中ケース４１の後面側に取り付ける一方、案内リブ５７、５７間に錘部材４３を位置させながら吊設軸７５の後端を後固定部に差し込んで、後ケース４２を中ケース４１の後面側に組み付ける。最後に、ネジ等を用いて前ケース４０、中ケース４１、及び後ケース４２を一体化して本体ケース３２を組み立てれば、振分装置３０は組み立て完了となる。なお、錘部材４３の収納空間７１には、必要に応じて錘体を収納させておく。
【００２６】
そして、上述の如く組み立てられた振分装置３０では、振分部材３３は、本体ケース３２内で中ケース４１の前面側に形成される分岐流路４８内において、進入口３１の下方で、第１流路３４と第２流路３５とを左右に仕切る位置（すなわち、流路の二股部）にある。そして、基板６０が収容凹部５１内に収容された状態で、右側に傾倒して塞止リブ６２と第１誘導リブ６３との間の空間が進入口３１側へ向く第１傾倒姿勢と、左側に傾倒して塞止リブ６２と第２誘導リブ６４との間の空間が進入口３１側へ向く第２傾倒姿勢との間を、回動軸４４を軸として回動可能となっている。また、中ケース４１の後面側では錘部材４３が下方位置にあり、中ケース４１の後面側へ突出している作用突起６５が、振分部材３３が第１傾倒姿勢にあると錘部材４３における中央部６６の円弧面７０の右端（図８に示すように後面側から見ると左端）に、振分部材３３が第２傾倒姿勢にあると円弧面７０の左端（図１３に示すように後面側から見ると右端）に当接している。そして、錘部材４３の重さにより、振分部材３３を第１傾倒姿勢若しくは第２傾倒姿勢で維持している。そして、振分部材３３が第１傾倒姿勢と第２傾倒姿勢との間で回動する際、作用突起６５は、錘部材４３を下方位置から押し上げたり、錘部材４３により押し下げられたりしながら円弧面７０上を左端から右端へ、若しくは、右端から左端へ移動するようになっている。
【００２７】
次に、振分装置３０による遊技球の振分動作について、図６〜図１３をもとに説明する。
図７は、中ケース４１の前面側で振分部材３３が第１傾倒姿勢にある状態を示した説明図である。図８は、振分部材３３が第１傾倒姿勢にある場合の中ケース４１の後面側を示した説明図である。図９は、中ケース４１の前面側で振分部材３３が第１傾倒姿勢と第２傾倒姿勢との間を移動中である状態を前側から示した説明図である。図１０は、振分部材３３が第１傾倒姿勢と第２傾倒姿勢との間を移動中である場合の中ケース４１の後面側を示した説明図である。図１１は、分岐流路４８内で振分部材３３が第２傾倒姿勢にある状態を前側から示した説明図である。図１２は、中ケース４１の前面側で振分部材３３が第２傾倒姿勢にある状態を示した説明図である。図１３は、振分部材３３が第２傾倒姿勢にある場合の中ケース４１の後面側を示した説明図である。
【００２８】
当初、振分部材３３は第１傾倒姿勢にあるとする。第１傾倒姿勢にある振分部材３３は、上述したように右側に傾倒して塞止リブ６２と第１誘導リブ６３との間を上方（すなわち進入口３１側）へ向けている（図６、図７）。また、第１傾倒姿勢にある振分部材３３の作用突起６５は、貫通孔５３の右端に位置しているとともに、下方位置にある錘部材４３の円弧面７０の右端に当接している（図８）。ここで、遊技球が進入口３１から分岐流路４８内へ進入して振分部材３３上へ落下すると、振分部材３３は、塞止リブ６２と第１誘導リブ６３との間で遊技球を受け止めた後、遊技球の重さ及び流下してきた勢い等により第１誘導リブ６３が押圧され、第２傾倒姿勢側へと回動を開始する。このとき、遊技球が振分部材３３に作用することで、作用突起６５は、錘部材４３を上方へ押し上げながら円弧面７０上を左側へ移動する。そして、振分部材３３は、塞止リブ６３が垂直上方を向く起立姿勢へと達する（図９）頃に遊技球を第１流路３４へ流入させるものの、自身の重心が回動軸４４の垂直上方から第２傾倒姿勢側へ移動すること、錘部材４３により作用突起６５が下方（貫通孔５３の形状により第２傾倒姿勢側となる）へ付勢されること等により、振分部材３３は、第２傾倒姿勢側への回動を継続し、作用突起６５が貫通孔５３の左端に達したことをもって、左側に傾倒して塞止リブ６２と第２誘導リブ６４との間の空間を進入口３１側へ向けた第２傾倒姿勢をとる（図１１、図１２）。このとき、錘部材４３は、塞止リブ６３が垂直上方を向く起立姿勢へと達した際に上方位置に位置した（図１０）後、作用突起６５が円弧面７０上を更に左方へ移動する（作用突起が移動軌跡における最上点を通過する）ことをもって自重により下方への移動を開始し、振分部材３３を第２傾倒姿勢側へ押圧する。そして、振分部材３３が第２傾倒姿勢をとることで、錘部材４３は下方位置に復帰し、円弧面７０の左端に作用突起６５が当接した状態となる（図１３）。なお、第１流路３４へ流入した遊技球は、第１検知センサ３６により検知された後、第１排出口３７から振分装置３０の下方へ排出される。
【００２９】
そして、次に遊技球が進入口３１から分岐流路４８内へ進入し振分部材３３上へ落下すると、振分部材３３は、今度は塞止リブ６２と第２誘導リブ６４との間で受け止めた後、遊技球の重さ及び流下してきた勢い等により第２誘導リブ６４が押圧され、第１傾倒姿勢側へと回動を開始する。そして、振分部材３３は、上記第１傾倒姿勢から第２傾倒姿勢へと姿勢をかえた一連の動作の逆の動作をたどり、第２傾倒姿勢から第１傾倒姿勢へと姿勢をかえて、遊技球を第２流路３５へ流入させる。また、錘部材４３についても、下方位置から一旦上方位置に達した後、再び下方位置へ復帰するといった上記同様の動作をたどる。なお、第２流路３５へ流入した遊技球は、第２検知センサ３８により検知された後、第２排出口３９から振分装置３０の下方へ排出される。
このようにして振分装置３０では、遊技球を１個ずつ交互に第１流路３４と第２流路３５とへ振り分ける。
【００３０】
（本実施形態のパチンコ機による効果）
以上のような構成を有する振分装置３０を備えたパチンコ機１によれば、振分部材の回動軸４４よりも上方となる位置に、後方へ突出する作用突起６５を設ける一方、振分部材３３よりは重く、遊技球１個よりは軽い錘部材４３を、上下方向へスライド自在に、且つ、円弧面７０が作用突起６５に対して上方から当接するように設けており、振分部材３３が第１傾倒姿勢若しくは第２傾倒姿勢をとる際、錘部材４３は自重により下方位置に位置して、振分部材３３を第１傾倒姿勢若しくは第２傾倒姿勢で維持する一方、振分部材３３が第１傾倒姿勢と第２傾倒姿勢との間で姿勢をかえる際、作用突起６５は、錘部材４３を押し上げながら円弧面７０上を移動した後、その移動軌跡において最上点を通過すると、自重により下方位置へと復帰しようとする錘部材４３に押されながら円弧面７０上を移動するようにした。したがって、モータ等を要することなく遊技球を振り分けることができ、振分装置３０の小型化やそれに伴う設置スペースの省スペース化、低コスト化を図ることができる。
【００３１】
また、作用突起６５を円柱状に形成する一方、錘部材４３の下面のうち、振分部材３３の姿勢の変更に伴い作用突起６５が移動する範囲の面を、中央部が左右両端部よりも下方へ膨出する円弧面７０として形成しているため、作用突起６５と円弧面７０との接触領域を減らすことができる。したがって、作用突起６５の円弧面７０上の移動がスムーズになり、ひいては遊技球の振分動作を確実且つスムーズに行うことができる。
さらに、錘部材４３の左側部６７及び右側部６８に錘体を収納可能な収納空間７１を夫々設けており、収納空間７１へ錘体を収納するか否かや収納空間７１へ収納する錘体を重さの異なる他の錘体に交換する等により、錘部材４３の重さを調節可能としている。したがって、遊技場により使用する遊技球の重さが異なっている等したとしても、錘部材４３を重さの違うものに交換する等することなく対応することができる。
【００３２】
（本発明の変更例について）
なお、本発明の遊技機に係る構成は、上記実施形態に何ら限定されるものではなく、遊技機全体の構成は勿論、振分手段等に係る構成についても、本発明の趣旨を逸脱しない範囲で必要に応じて適宜変更可能である。
【００３３】
たとえば、上記実施形態では、錘手段の下面のうち、作用突起が姿勢の変化に伴う移動する範囲のみを湾曲面として形成しているが、それよりも広範囲を湾曲面としてもよいし、錘手段の下面（特に作用突起が姿勢の変化に伴う移動する範囲）を平坦面として構成することも可能である。なお、湾曲面が必ずしも円弧面である必要のないことは言うまでもない。
また、作用突起についても、上記実施形態では円柱状としているが、上半分のみが円周面となり、下半分は角柱状として形成されているような形状であってもよく、作用突起をどのような形状とするかは適宜設計変更可能である。
さらに、錘手段に錘体を収納可能とするか否かについても、言うまでもなく設計変更可能である。
【００３４】
さらにまた、作用突起を前方へ突出させ、遊技球振分手段の前方に錘手段を設けるといった構成を採用することも可能であるし、本体ケースを前ケースと後ケースとの２部材からなるものとしてもよい。
またさらに、錘手段を上下方向へスライド自在に設けるにあたり、どのような構成を採用するかについても吊設軸と長孔との組み合わせによる上記実施形態の構成に何ら限定されることはなく、案内リブや突条部の有無等についても適宜設計変更可能である。
【００３５】
加えて、上記実施形態では、遊技機の一例であるパチンコ機について説明しているが、本発明は、たとえば封入式パチンコ機等といった他の遊技機に対しても当然適用可能である。
なお、特許請求の範囲、明細書および図面に記載される全ての要素（例えば、遊技球振分手段や振分手段、錘手段、収納部等）は、個数を意識的に限定する明確な記載がない限り、物理的に単一であっても複数であっても構わないし、適宜配置の変更が行われても構わない。また、特許請求の範囲や明細書等で使用している要素名（要素につけた名称）は、単に本件の記載のために便宜上付与したにすぎないものであり、それによって特別な意味が生じることを特に意識したものではない。すなわち、要素名のみによって要素が何であるかが限定解釈されるものではない。さらには、全ての要素のうちの複数の要素を適宜一体的に構成するか、もしくはひとつの要素を複数の要素に分けて構成するかは、敢えて特許請求の範囲等において特定していない限り、何れも当業者であれば容易に考えられる事項である。したがって、その程度の範囲内での構成上の差異を有する遊技機を、本実施例に記載がなされていないことを理由に採用することのみでは、本発明に係る権利を回避したことにはならない。その他、各要素の構成や形状等における、本実施例から当業者であれば容易に考えられる自明な範囲の差異についても同様である。
【符号の説明】
【００３６】
１・・パチンコ機、３０・・振分装置（振分手段）、３１・・進入口、３２・・本体ケース、３３・・振分部材（遊技球振分手段）、３４・・第１流路（流路）、３５・・第２流路（流路）、３６・・第１検知センサ（第１検知手段）、３７・・第１排出口、３８・・第２検知センサ（第２検知手段）、３９・・第２排出口、４３・・錘部材（錘手段）、４４・・回動軸、４８・・分岐流路（流路）、６１・・回動軸取付部、６５・・作用突起、７０・・円弧面（湾曲面）、７１・・収納空間（収納部）。
【図１】
2015223352.tif 000003
【図２】
2015223352.tif 000004
【図３】
2015223352.tif 000005
【図４】
2015223352.tif 000006
【図５】
2015223352.tif 000007
【図６】
2015223352.tif 000008
【図７】
2015223352.tif 000009
【図８】
2015223352.tif 000010
【図９】
2015223352.tif 000011
【図１０】
2015223352.tif 000012
【図１１】
2015223352.tif 000013
【図１２】
2015223352.tif 000014
【図１３】
2015223352.tif 000015